(57)【要約】【課題】この発明の課題は使用者の頭に装着されて外部雑音，寒さから保護し，音響信号の聴取を容易にする折り畳み式のヘッドセットアセンブリを提供することである。【解決手段】完全に折り畳みできるヘッドセットアセンブリは柔軟な蝶番で接続されたサイドアームから構成されるヘッドバンドを含んでいる。柔軟な蝶番は弾性体のカムを有し，その力は希望に従ってアセンブリを動作状態にするか，折り畳んだ状態にするために使用される。折り畳んだ状態ではカムの張力は一定の圧力を保ち，ヘッドバンドアセンブリは空洞を形成してその中に向き合ったイヤーカップが保持される。【選択図】          図１
2004266649.tif 000002
【特許請求の範囲】
【請求項１】
ユーザの頭と耳に装着され，雑音と寒さから保護し，音響信号を聴取するヘッドセットアセンブリにおいて，
サイドバンド部が一対のサイドアームを有し，各サイドアームが近接端と先端を有し，２つのサイドアームが近接端において第一蝶番アセンブリによって接続され，サイドアーム先端が支持部に接続された第二蝶番アセンブリを有し，支持部がユーザの耳に装着されるイヤーカップを収容するような構造をしており、
イヤーカップが第三の蝶番アセンブリで支持部に接続され、
第一蝶番アセンブリはサイドアームが折り畳み位置と動作位置をはっきりと区別することを可能にし、第一蝶番が選択的にヘッドバンドを動作位置と折り畳み位置の間に偏らせるカムを含むヘッドセットアセンブリ。
【請求項２】
サイドアームの近接端の間に第一蝶番アセンブリがヘッドバンドを折り畳んだ位置に保持するための偏倚カム動作を提供する突起およびくぼみ型の蝶番結合部を含んだ請求項１に記載のヘッドセットアセンブリ。
【請求項３】
第一蝶番アセンブリがさらにサイドアームの近接端に突起およびくぼみ型の蝶番結合を旋回動作させるための蝶番ピンを有する請求項２に記載のヘッドセットアセンブリ。
【請求項４】
第一蝶番アセンブリがサイドアームの近接端に形成された少なくとも１個の蝶番ピンと少なくとも１個の突起から構成された弾性カムを備え，相対するサイドアームの近接端で突起がくぼみに力を加えながら接触している請求項２に記載のヘッドセットアセンブリ。
【請求項５】
第一蝶番アセンブリがサイドアームの近接端に配置された弾性カムを有し、相対するサイドアームの端の突起がくぼみに受け入れられるように配置された請求項１に記載のヘッドセットアセンブリ。
【請求項６】
ヘッドバンドがプラスチックから構成されている請求項１に記載のヘッドセットアセンブリ。
【請求項７】
折り畳まれた位置で，補い合って両方のイヤーカップを収容する構造の、折り畳まれた空洞を形成するためにサイドアームが曲線形状をしている請求項１に記載のヘッドセットアセンブリ。
【請求項８】
折り畳まれた位置で，イヤーカップが弾性的に圧縮できるパッド枠を含む請求項１に記載のヘッドセットアセンブリ。
【請求項９】
第二蝶番アセンブリの支持部が第三蝶番アセンブリによってそれぞれイヤーカップに機能的に接続された，Ｕの字型のフォークである請求項１に記載のヘッドセットアセンブリ。
【請求項１０】
折り畳まれた位置で，各々のＵの字型フォークが最大の折り畳みを提供するように第三蝶番アセンブリと共同動作する構造の溝を定義するための足を有している請求項９に記載のヘッドセットアセンブリ。
【請求項１１】
第二蝶番アセンブリが支持部とサイドアーム先端間の連接領域に形成された突起から構成されたカムを含む請求項１に記載のヘッドセットアセンブリ。
【請求項１２】
第三蝶番アセンブリがイヤーカップと第二蝶番アセンブリの支持部の間に配置された請求項１に記載のヘッドセットアセンブリ。
【発明の詳細な説明】
【０００１】
【発明の属する技術分野】
この発明は使用者の頭にセットされて耳を覆い，外部からの雑音または寒さから保護し，音響信号の聴取を容易にするためのハンドセットアセンブリに関する。特にこの発明は折り畳んだ位置にするための弾性体蝶番アセンブリを有した折り畳み式のヘッドセットアセンブリに関する。
【０００２】
【従来の技術】
米国特許１５７１４７１はヘッドセットを開示しているがヘッドバンドがイヤホンに適応していなく，ヘッドセットを折り畳んだ位置にすることができない。これはヘッドセットがヘッドセットを折り畳んだ位置にして収納することができない構造のフレキシブルなストラップから構成されているからである。
【０００３】
米国特許３２７２９２６はイヤホンとヘッドバンド部品の間に蝶番を有するヘッドセットを開示している。しかしながら，ヘッドバンド部品は蝶番で動くことができず，ハンドセットを折り畳むことを阻止している。
【０００４】
米国特許４４０４４３４はカップアセンブリ部品をヘッドバンドで形成された凹部の中に回転して入れる蝶番を有するヘッドセットを開示しているがその蝶番ではヘッドバンドを折り畳んだ位置にすることはできない。それ故，カップアセンブリはパッド部分を付き合わせて押しつけ，折り畳んだ占有空間を減少させることができない。しかもヘッドバンドは柔軟性がない。
【０００５】
米国特許４５７１７４６はヘッドバンドに中間蝶番が付き，折り畳まれた時にイヤホンまたはイヤピースが向き合うヘッドセットを開示している。しかしながら，イヤピースはその背後に接続された支持具を有し，その回転を制限しており，折り畳まれたときにヘッドバンドの半径方向の周辺から外に出ている。さらにヘッドはヘッドバンドを折り畳んだ位置と開いた位置の間を移行する弾性体の蝶番がない。
【０００６】
英国特許１２１８０８６はヘッドバンドの溝の中で折り畳む蝶番付きのイヤホンを含むヘッドセットを開示している。柔軟性のないヘッドバンドは蝶番が付いていないがその中にイヤピースを収納する溝を含んでいる。
【０００７】
独国特許７４１６９２は蝶番の付いたイヤホンがヘッドバンドで形成される空間の中に折り畳まれるヘッドセットを開示している。しかしながら大きな空間が必要になるので，イヤホンを向き合わせて折り畳むことができない。さらにヘッドバンドは柔軟な蝶番を含んでいない。
【０００８】
【発明が解決しようとする課題】
この発明は使用者の頭に装着されて外部雑音，寒さから保護し，音響信号の聴取を容易にする折り畳み式のヘッドセットアセンブリを提供することを課題とする。
【０００９】
この発明の一つの目的はヘッドアーム部のサイドアームがその中へ実質的にイヤピースを封じ込める，折り畳み式のイヤカップまたはイヤピースヘッドセットを提供することである。
【００１０】
この発明のもう一つの目的はヘッドバンド部またはその部品がヘッドバンドを予め定められた，閉じた位置及び開いた位置に偏らせる手段を含んだ蝶番部品を含んでいる，折り畳み式ヘッドセットアセンブリを提供することである。開いた位置では蝶番部品の偏らせる手段は開いた位置でロックするための圧力を供給する。
【００１１】
【課題を解決するための手段】
折り畳み式のヘッドセットアセンブリは柔軟な蝶番部品で接続されたサイドアームから形成されたヘッドバンドを含んでいる。柔軟な蝶番部品は蝶番の付いたヘッドバンドの開閉位置に対置する弾性体のカムを含んでいる。閉じた位置ではヘッドバンドはその中にイヤカップまたはイヤーピースを受け入れるような構造に用意された空間を形成する。
【００１２】
【発明の実施の形態】
図１に示すように，この発明の折り畳み式ヘッドセットアセンブリは，２つのサイドアーム２，３から形成され，互いの近接端で柔軟な蝶番アセンブリ４によって互いに結合されたヘッドバンド１から構成されている。ヘッドバンド１は基本的には平らで曲線形状をしている。ヘッドセットアセンブリはＵの字型のフォーク６でヘッドバンド１に接続されたイヤーカップ５を有している。イヤーカップ５の底がヘッドバンド１のサイドアーム先端７に蝶番で接続されて弾性体の第二蝶番アセンブリ８を形成し，それによってこの発明に従ってヘッドセットのヘッドバンド１の畳み込みと展開動作ができる。
【００１３】
各Ｕの字型のフォーク６は図５に示すようにそのランナーの終端１１，１２が円形に広がった滑りランナー１０，フォーク形状のフォークアーム９を含んでいる。第三の蝶番アセンブリ１３の先端はイヤーカップ５の一部であるが，ランナー１０の中へ延びており，その中に保持されている。これによってイヤーカップ５がフォーク６のフォークアーム９に沿って滑りランナー１０のランナー終端１１，１２の間でスライドすることができ，使用中に使用者の頭に対してイヤーカップ５の相対的な位置を決めることを可能にし，また図３に示すようにヘッドセットアセンブリが折り畳まれた位置にあるときにもイヤーカップの相対位置をきめることを可能にする。
【００１４】
図１ではＵの字型のフォーク６のフォークアーム９の一方だけしか示されていないが，図１に示されているフォークアーム９と同一の特徴を有している他方のフォークアーム９がこの図では対応するイヤーカップ５の背後に隠れている。図１，６はまた使用者の耳に接触する部分でイヤーカップ５はワッシャー枠１５によってイヤーカップ５に結合された環状のパッド枠１４を有していることを示している。
【００１５】
図２，３はヘッドバンド１のフォーク６，サイドアーム２，３の間の一連の動作を示している。図２で第二蝶番アセンブリ８が矢印で示された距離を移動することによって，イヤーカップ５はサイドアーム２と３で定義される空間に整列される。同時に図３に示すようにイヤーカップ５はフォーク６のフォークアーム９のランナー１０の中でスライドして，ヘッドセットの畳み込まれた位置で最適の位置または整列状態に置かれる。
【００１６】
図２に示すようにイヤーカップ５が整列状態に配置されるとヘッドバンド１のサイドアーム２，３は図３の対応する矢印で示される方向に折り畳まれ，全体が折り畳まれることによってその体積またはヘッドセットアセンブリで占有される空間がかなり減少される。さらに環状のパッド枠１４は押し合わされ，最初の空間を占有することによって折り畳まれたヘッドセットアセンブリの最終的なサイズの減少に寄与する。
【００１７】
ヘッドバンド１のサイドアーム２，３の近接端間の柔軟な蝶番アセンブリ４およびＵの字型のフォーク６の第二蝶番アセンブリ８はヘッドセットアセンブリを迅速かつ確実に折り畳んだり，展開したりすることを可能にすると同時に展開時および折り畳み時のそれぞれの場合に安定した動作位置または折り畳み位置で保持することを可能にする。
【００１８】
図４および図４ａはサイドアーム２，３の近接端間での柔軟な蝶番アセンブリ４を示している。図１で示すように蝶番アセンブリ４はサイドアーム２，３の反対側のサイドアーム先端７とフォーク６の間の第二蝶番アセンブリ８と同様である。柔軟な蝶番アセンブリ４はヘッドバンド１の第二サイドアーム３から突出し，第一サイドアーム２の結合くぼみ１７の中に収まる結合突起１６を有している。結合くぼみ１７は２つの側面部１８の間で定義されている。蝶番のピン１９が結合突起１６および側面部１８を貫通している。突起１６，結合くぼみ１７および側面部１８はヘッドバンド１のサイドアーム２，３の間で弾性関係が確立されるような構造になっている。この関係は突起１６および側面部１８の下部縁がカム２０を形成し，滑り軌道２１をスライドして，弾性体または柔軟な蝶番アセンブリ４の強制された運動または偏よった運動をさせる。
【００１９】
図４，４ａ，４ｂ，４ｃおよび４ｄに示すようにカム２０の強制された動きは２つの相反する位置で張力を開放する。第一開放終端または動作位置は図１および４ｂに示すように折り畳まれていないハンドセットに対応する。第二の終端位置は図４ａおよび４ｄに示すように折り畳まれた位置に対応する。両方の位置からカム２０を動かすとヘッドバンド１が開放と折り畳み運動をする。図４ｃに示されたように弾性カム２０が提供する弾性はヘッドバンド１を開放か、折り畳みかどちらか希望の位置に移動させ，中間位置に停止させない。
【００２０】
開放の上限は結合くぼみ１７および結合突起１６の上縁に設置された開放ストップ２２で設定される。滑り軌道２１に沿ったカム２０の滑りは結合突起１６および結合くぼみ１７の両方で生じる。フォーク６に接続されたイヤーカップ５を折り畳むとヘッドバンド１のアーム２も３も同期して折り畳まれ，体積が小さくなり，ヘッドセットを最高に折り畳む。
【００２１】
図５はＵの字型のフォーク６のフォークアーム９の滑りランナー１０の終端１１，１２が内縁２３を有し，そこから保持部材２４が突出している様子を示している。この保持部材２４は弾性変形でき，第三の蝶番アセンブリ１３の頭部を挿入することが可能になる。
【００２２】
滑りランナー１０に沿って滑り縁２５があり，第三の蝶番アセンブリ１３を支持し，導く。滑りランナー１０の終端１１，１２の間に限定された内縁２３は第三蝶番アセンブリの本体の案内役をする。
【００２３】
図６はイヤーカップ５の周辺部に半分硬い材料で構成され，互いに補足し合う凹凸で構成された周辺接続具２７によって取り外し可能なように接続されたワッシャー枠１５を示している。
【００２４】
パッド枠１４は外側が層状材料で内部がポリウレタン発泡材のような泡状充填材で構成され，例えば熱または超音波によって直接ワッシャー枠１５の結合縁２９の内部及びまたは外部に溶接され，ワッシャー枠１５およびパッド枠１４は図６に示すように一組を形成している。
【００２５】
この発明の他の実施例では図７に示すように，ヘッドバンド１のサイドアーム２および３はそれぞれ外部表面２’および３’を有し，ヘッドセットに音楽や無線通信を聴取するための電気音響変換器が組み込まれ，コネクタ溝３０が配置されている。この溝３０は溝３０の中にワイヤー３２を保持するための固定具３１を備えている。
図８および８ａはこの発明のヘッドセットのイヤーカップ５の特別の実施例を示しており，各イヤーカップ５の内部表面の上に大きさや深さがいろいろ異なっていても良い複数の音響吸収セル３３が規則正しい間隔で配置されている。図９および９ａはワッシャー枠１５の特別の実施例を示しており，そのワッシャーの内部表面もまた複数の音響吸収セル３４を有している。セル３３，３４の目的はヘッドセットアセンブリを使用している環境で存在するかもしれない高いレベルの雑音からユーザの耳を保護するためである。
【発明の効果】
この発明の一つの利点はイヤカップが向き合って折りたたまれたとき，移行手段によって供給される圧力がパッド付きの枠を押しつけ，折りたたまれたヘッドセットまたはイヤカップの体積または占有空間を減少させることである。
【００２６】
この発明のさらにもう一つの利点はヘッドセットアセンブリが折りたたまれた位置にあるとき，イヤカップはお互いに向き合っており，保管されている間はユーザの頭に当てはめられるときの領域が保護されていることである。この利点は例えば，音楽，ラジオ，電話などの音響を聴取するヘッドセットの場合には特に重要である。何故ならば折りたたまれて保管された位置では，イヤカップを向き合わせていることによってイヤカップの内側の部品が保護されているからである。
【００２７】
この発明のさらなる利点はヘッドセットアセンブリが完全に折りたたまれ，ポケットに保管することができるイヤカップ部品を含んでいることである。
【００２８】
この発明の他の利点はヘッドセットアセンブリが完全に折りたたまれ，体積を減少して包装，輸送，保管コストを減少できることである。
【００２９】
さらにこの発明の他の利点はヘッドセットアセンブリを縁なし帽子，帽子，安全ヘルメットおよび軍隊帽の中に着用でき，通常心地よくなく，かさばって着用が困難なヘッドセットを置き代えることができることである。
【００３０】
この発明のさらなる利点はヘッドセットアセンブリの異なる部品を主としてプラスチックで製造でき，壊れたときに容易に交換でき，さらに重量を軽くできることである。
【００３１】
さらにこの発明のもう一つの利点はヘッドセットアセンブリに使用されるプラスチック物質は実効的に電気絶縁性を提供し，ユーザの頭が電気放電にさらされる可能性のある工場ではこのことは非常に重要である。
【図面の簡単な説明】
この発明の目的を明瞭にし，理解するためにこの装置が好ましい実施例を代表として，しかしこれに限るものではないが，種々な図に表現されている。
【図１】図１はこの発明による折り畳み式のヘッドセット部の透視図である。
【図２】図２はイヤカップ部が折り畳み動作を開始する位置でのこの発明の側面図である。
【図３】図３はヘッドセット部が折り畳まれた位置を示すこの発明の側面図である。
【図４】透視図４はヘッドバンドが開放または動作位置にあるときの柔軟な蝶番を示すこの発明の図である。
（ａ）はヘッドバンドが折り畳まれた位置にあるときの柔軟な蝶番を示すこの発明の透視図である。
（ｂ）はヘッドバンドのサイドアームが開放または動作位置にあるときの柔軟な蝶番を示すこの発明の側面図である。
（ｃ）は蝶番が開放と折り畳みの位置の間を移動しているときのヘッドバンドのサイドアームの間のカム張力を示す柔軟な蝶番の側面図である。
（ｄ）はヘッドバンドが畳み込まれた位置にあるときのヘッドバンドのサイドアームの間のカム張力を示す柔軟な蝶番の図である。
【図５】図５はスライドランナーと噛み合わさったこの発明によるイヤカップの蝶番の透視図である。
【図６】図６はこの発明のイヤカップの断面図である。
【図７】図７は実施例で音響信号の聴取に使用されるヘッドセットの透視図である。
【図８】図８は雑音保護の実施例で使用されているイヤーカップの正面図である。（ａ）は図８で示されたイヤーカップである。
【図９】図９はこの発明に従って音響の聴取に使用されているイヤーカップの正面図である。（ａ）は図９で示されたイヤーカップの断面図である。
図の中の参照番号
（１）ヘッドセットのヘッドバンド
（２）ヘッドバンド１の第一サイドアーム
（２’）第一サイドアームの外側表面
（３）ヘッドバンド１の第二サイドアーム
（３’）第二サイドアームの外側表面
（４）第一，第二アームの近接端の間の柔軟な蝶番アセンブリ
（５）イヤーカップ
（６）イヤーカップを取り付けるＵの字型フォーク
（７）サイドアーム先端
（８）サイドアーム先端とフォークの間の第二蝶番アセンブリ
（９）フォークのフォークアーム
（１０）第三蝶番部の滑りランナー
（１１）（１２）ランナーの終端
（１３）イヤーカップとフォークアーム間の第三蝶番アセンブリ
（１４）パッド枠
（１５）ワッシャー枠
（１６）結合突起
（１７）結合くぼみ
（１８）突起取囲み側面部
（１９）蝶番のピン
（２０）カム
（２１）カムの滑り軌道
（２２）カム上部端で形成されたヘッドバンドの開放ストップ
（２３）滑りランナー内縁
（２４）第三蝶番の保持部材
（２５）滑り縁
（２７）イヤーカップ，ベース，パッド付きフレームの周辺接続具
（２８）充填材
（２９）結合縁
（３０）コネクタ溝
（３１）固定具
（３２）ワイヤー
（３３）（３４）音響吸収セル
【図１】
2004266649.tif 000003
【図２】
2004266649.tif 000004
【図３】
2004266649.tif 000005
【図４】
2004266649.tif 000006
【図５】
2004266649.tif 000007
【図６】
2004266649.tif 000008
【図７】
2004266649.tif 000009
【図８】
2004266649.tif 000010
【図９】
2004266649.tif 000011
【外国語明細書】
2004266649.tif 000012
2004266649.tif 000013
2004266649.tif 000014
2004266649.tif 000015
2004266649.tif 000016
2004266649.tif 000017
2004266649.tif 000018
2004266649.tif 000019
2004266649.tif 000020
2004266649.tif 000021
2004266649.tif 000022
2004266649.tif 000023
2004266649.tif 000024
2004266649.tif 000025
2004266649.tif 000026
2004266649.tif 000027
2004266649.tif 000028
2004266649.tif 000029
2004266649.tif 000030
2004266649.tif 000031
2004266649.tif 000032
2004266649.tif 000033
2004266649.tif 000034
2004266649.tif 000035
2004266649.tif 000036
2004266649.tif 000037
2004266649.tif 000038
2004266649.tif 000039
2004266649.tif 000040
2004266649.tif 000041
2004266649.tif 000042
2004266649.tif 000043
2004266649.tif 000044
2004266649.tif 000045
2004266649.tif 000046
2004266649.tif 000047
2004266649.tif 000048
2004266649.tif 000049
2004266649.tif 000050
2004266649.tif 000051
2004266649.tif 000052
2004266649.tif 000053
2004266649.tif 000054